(57)【要約】【課題】  ２つの互いに相関関係を有するパラメータの調整を容易に行うことができるようにする。【解決手段】  色収差補正画面表示部が、画像９０と、画像９０の色収差を補正するための補正値を入力することができるＧＵＩ形式の補正値入力領域８５とを含む色収差補正画面８０をディスプレイに表示させる。補正値入力領域８５には、画像９０を構成するＲ、Ｇ、Ｂの３色のうち、色収差補正を行う際に基準となる色を選択するための基準色選択ボタン８５ａと、Ｒ、Ｇ、Ｂの３色のうち基準色選択ボタン８５ａによって選択された基準色以外の２色の縦補正値及び横補正値をそれぞれ入力することができる第１及び第２の補正値入力コントロール８６、８７とが描画される。【選択図】        図４
2006081058.tif 000002
【特許請求の範囲】
【請求項１】
ディスプレイと、
画像データファイルを記憶する画像記憶手段と、
前記画像記憶手段に記憶された画像データファイルの補正に関する互いに相関関係を有する第１及び第２のパラメータを記憶するパラメータ記憶手段と、
前記第１及び第２のパラメータを入力するために用いられる１つのパラメータコントロールを含むＧＵＩ形式の補正画面を前記ディスプレイに表示させる補正画面表示手段と、
前記パラメータ記憶手段に記憶された前記第１及び第２のパラメータを、前記補正画面において入力された前記第１及び第２のパラメータに書き換えるパラメータ書換手段と、
前記パラメータ記憶手段に記憶されている前記第１及び第２のパラメータに基づいて、前記画像記憶手段に記憶された画像データファイルに補正を施す補正手段と、
前記補正手段によって補正された画像データファイルに係る画像を画像形成媒体に形成する画像形成部とを有していることを特徴とする画像形成装置。
【請求項２】
前記補正手段によって補正された画像データファイルに係る画像を、前記補正画面と共に前記ディスプレイに表示させる画像表示制御手段をさらに備えていることを特徴とする請求項１に記載の画像形成装置。
【請求項３】
前記パラメータコントロールでは、前記第１及び第２のパラメータを同時に入力することが可能であることを特徴とする請求項１または２に記載の画像形成装置。
【請求項４】
前記第１及び第２のパラメータが、前記画像記憶手段に記憶されている画像データファイルに係る画像中において直交する２方向に関するパラメータであり、
前記補正画面表示手段は、前記２方向に対応する部分が前記パラメータコントロールによって入力された前記第１及び第２のパラメータの大きさを反映して変形する図形を含む前記補正画面を前記ディスプレイに表示させることを特徴とする請求項１〜３のいずれか１項に記載の画像形成装置。
【請求項５】
前記画像記憶手段に記憶されている画像データファイルに係る画像を構成する複数の色成分の中で基準となる色成分を記憶するための基準色記憶手段と、
前記基準色記憶手段に記憶されている色成分を書き換えるための基準色書換手段とをさらに有しており、
前記補正画面表示手段が、前記画像記憶手段に記憶されている画像データファイルに係る画像を構成する複数の色成分の中で基準となる色成分を選択するための基準色選択コントロールと、前記複数の色成分の中で基準となる色成分以外の色成分の基準となる色成分に対する位置ずれを前記２方向に関して補正する補正値に対応する前記第１及び第２のパラメータを入力するための一又は複数のパラメータコントロールとを含む前記補正画面を前記ディスプレイに表示させ、前記基準色書換手段が前記基準色記憶手段に記憶されている色成分を、前記基準色選択コントロールによって選択された色成分に書き換えることを特徴とする請求項４に記載の画像形成装置。
【発明の詳細な説明】
【技術分野】
【０００１】
本発明は、供給されたデジタル画像データファイルに対して補正を行うことができる画像形成装置に関する。
【背景技術】
【０００２】
一般的にカメラの構成要素であるレンズは、透過する光の波長に応じて屈折率が異なるものである。よって、レンズに対して白色光が入射したとしても、出射する際には、白色光を構成する各色成分の光がそれぞれ若干異なる方向に進むことになる。このように、各色成分の光の焦点位置が光軸と直交する方向にずれることにより、色毎に画像の倍率が異なり、像に色ずれが生じる現象を倍率色収差という。このような倍率色収差は、屈折率と分散の比率の異なったレンズを複数構成することにより補正される。
【０００３】
しかし、レンズ付きフィルムユニット（使い捨てカメラ）や安価なカメラでは、光学系を構成するレンズが１枚若しくは２枚と少ないため、倍率色収差を補正したレンズ設計が困難であり、レンズに倍率色収差が残留したまま市販されている。従って、被写体によっては、倍率色収差が目立つ画像が印画紙にプリントされることがあった。
【０００４】
一方、近年、撮影後のフィルムからＣＣＤ（charge coupled device）等により取得した画像データファイルに基づいて、印画紙に画像をプリントするいわゆるデジタル露光方式のプリンタが実用化されている。係るプリンタにおいては、画像データファイルに画像処理を施すことにより、倍率色収差を補正することが可能である。特許文献１には、画像データファイルにレンズ形状に基づく倍率色収差補正情報が含まれており、この倍率色収差補正情報に基づいて自動的に補正する方法と、オペレータがディスプレイに表示された画像を見ながら手動で倍率色収差を補正する方法とが記載されている。
【特許文献１】特開平１１−１６１７７７号公報
【発明の開示】
【発明が解決しようとする課題】
【０００５】
上述のように、倍率色収差を手動で補正する場合、オペレータは、ディスプレイに表示された図７に示すような色収差補正画面１０１で補正を行う。図７に示すように、色収差補正画面１０１には、画像の縦方向の補正を行うための縦軸補正領域１８０と、横方向の補正を行うための横軸補正領域１９０とが表示される。縦軸補正領域１８０及び横軸補正領域１９０にはいずれも、基準色選択ボタン１８１、１９１と、Ｒ（レッド）・Ｇ（グリーン）・Ｂ（ブルー）の各色の倍率色収差の補正値をそれぞれ操作することができるスライダ１８２ａ〜１８４ａ、１９２ａ〜１９４ａと、Ｒ・Ｇ・Ｂの各色の倍率色収差の補正値をそれぞれ入力することができる入力フィールド１８２ｂ〜１８４ｂ、１９２ｂ〜１９４ｂとが描画されている。
【０００６】
上述のような色収差補正画面１０１において、オペレータは、まず基準色選択ボタン１８１を操作して縦方向の基準色を選択する。そして、スライダ１８２ａ〜１８４ａ、または入力フィールド１８２ｂ〜１８４ｂを操作して、基準色以外の２色の縦方向の倍率色収差に関する補正値を入力する。次に、基準色選択ボタン１９１を操作して横方向の基準色を選択する。そして、スライダ１９２ａ〜１９４ａ、または入力フィールド１９２ｂ〜１９４ｂを操作して、基準色以外の２色の横方向の倍率色収差に関する補正値を入力する。
【０００７】
したがって、オペレータは、基準色以外の２色について、縦方向と横方向との２つの互いに相関関係を有するパラメータをそれぞれ調整することによって、倍率色収差補正を行うこととなる。結果として、倍率色収差補正の操作は煩雑となり、誤操作を招くという問題が生じる。
【０００８】
そこで、本発明の目的は、２つの互いに相関関係を有するパラメータの調整を容易に行うことが可能な画像形成装置を提供することである。
【課題を解決するための手段及び効果】
【０００９】
本発明の画像形成装置は、ディスプレイと、画像データファイルを記憶する画像記憶手段と、前記画像記憶手段に記憶された画像データファイルの補正に関する互いに相関関係を有する第１及び第２のパラメータを記憶するパラメータ記憶手段と、前記第１及び第２のパラメータを入力するために用いられる１つのパラメータコントロールを含むＧＵＩ形式の補正画面を前記ディスプレイに表示させる補正画面表示手段と、前記パラメータ記憶手段に記憶された前記第１及び第２のパラメータを、前記補正画面において入力された前記第１及び第２のパラメータに書き換えるパラメータ書換手段と、前記パラメータ記憶手段に記憶されている前記第１及び第２のパラメータに基づいて、前記画像記憶手段に記憶された画像データファイルに補正を施す補正手段と、前記補正手段によって補正された画像データファイルに係る画像を画像形成媒体に形成する画像形成部とを有している。
【００１０】
この構成によると、ポインティングデバイスを用いて１つのパラメータコントロールを操作することによって、第１及び第２のパラメータを入力することができる。したがって、互いに相関関係を有する２つのパラメータの調整を容易に行うことが可能となる。
【００１１】
本発明の画像形成装置は、前記補正手段によって補正された画像データファイルに係る画像を、前記補正画面と共に前記ディスプレイに表示させる画像表示制御手段をさらに備えている。この構成によると、オペレータは、リアルタイムで補正された画像を見ながら第１及び第２のパラメータを入力することができる。したがって、２つのパラメータの調整がより容易になる。
【００１２】
本発明の画像形成装置は、前記パラメータコントロールでは、前記第１及び第２のパラメータを同時に入力することが可能であってもよい。この構成によると、第１及び第２の２つのパラメータの調整がさらに容易になる。
【００１３】
本発明の画像形成装置は、前記第１及び第２のパラメータが、前記画像記憶手段に記憶されている画像データファイルに係る画像中において直交する２方向に関するパラメータであり、前記補正画面表示手段は、前記２方向に対応する部分が前記パラメータコントロールによって入力された前記第１及び第２のパラメータの大きさを反映して変形する図形を含む前記補正画面を前記ディスプレイに表示させることが好ましい。
【００１４】
この構成によると、オペレータが、第１及び第２のパラメータのそれぞれの大きさを視覚的に確認することができる。したがって、第１及び第２のパラメータの調整が一層容易になる。
【００１５】
本発明の画像形成装置は、前記画像記憶手段に記憶されている画像データファイルに係る画像を構成する複数の色成分の中で基準となる色成分を記憶するための基準色記憶手段と、前記基準色記憶手段に記憶されている色成分を書き換えるための基準色書換手段とをさらに有しており、前記補正画面表示手段が、前記画像記憶手段に記憶されている画像データファイルに係る画像を構成する複数の色成分の中で基準となる色成分を選択するための基準色選択コントロールと、前記複数の色成分の中で基準となる色成分以外の色成分の基準となる色成分に対する位置ずれを前記２方向に関して補正する補正値に対応する前記第１及び第２のパラメータを入力するための一又は複数のパラメータコントロールとを含む前記補正画面を前記ディスプレイに表示させ、前記基準色書換手段が前記基準色記憶手段に記憶されている色成分を、前記基準色選択コントロールによって選択された色成分に書き換えてもよい。
【００１６】
この構成によると、画像データファイルの倍率色収差の補正を容易に行うことが可能となる。
【発明を実施するための最良の形態】
【００１７】
以下、本発明の好適な一実施の形態について、図面を参照しつつ説明する。図１は、本実施の形態に係る写真処理装置の概略構成を示す図である。
【００１８】
図１に示すように、本実施の形態の写真処理装置１は、インターフェイス部１０と、フィルムスキャナ２０と、コントローラ３０と、プリンタプロセッサ５０とを有している。
【００１９】
インターフェイス部１０では、写真処理装置１とそれを操作するオペレータとの間の情報のやり取りが行われる。インターフェイス部１０は、写真処理装置１に関する様々な情報を表示してオペレータに告知するディスプレイ１１と、オペレータが写真処理装置１に対して指示を与えるキーボード１２やマウス１３からなる入力デバイスとを有している。
【００２０】
フィルムスキャナ２０は、ハロゲンランプ２１と、ハロゲンランプ２１から出射した光の色バランスを調整するための調光フィルタ２２と、調光フィルタ２２を通過した光を均等に混色するミラートンネル２３と、写真フィルム２５の各コマ画像とハロゲンランプ２１とを順次対向させるフィルム搬送機構２４と、写真フィルム２５のコマ画像を光電変換するためのＣＣＤラインセンサユニット２６と、写真フィルム２５を透過した光をＣＣＤラインセンサユニット２６上に結像させるためのレンズ２７と、光路を９０度屈曲させるためのミラー２８と、ＣＣＤラインセンサユニット２６の出力信号を処理する図示しない処理回路とを有している。
【００２１】
ＣＣＤラインセンサユニット２６は、約５０００個の受光部を写真フィルム２５の幅方向に配列したＣＣＤラインセンサを３列に並べて備えており、各ＣＣＤラインセンサの受光面にはそれぞれ赤色、緑色、青色のカラーフィルタが形成されて、写真フィルム２５のコマ画像を色分解して検出する。処理回路は、ＣＣＤラインセンサユニット２６の出力アナログ信号を増幅した後Ａ／Ｄ変換を行って出力する。従って、フィルムスキャナ２０では、フィルム搬送機構２４に写真フィルム２５がセットされると、搬送ローラ対２４ａにより搬送される写真フィルム２５上のコマ画像が順次読み取られて、赤色、緑色、青色毎のデジタル画像データファイルがコントローラ３０に対して送信される。
【００２２】
コントローラ３０では、写真処理装置１全体の制御が行われる。また、コントローラ３０には、例えばコンパクトフラッシュ（登録商標）等のデジタルカメラ用メモリカードから画像データファイルを読み出すカードスロット６１、及びＣＤ−Ｒ（Compact Disc-Recordable：１度だけ書き込み可能な追記型ＣＤ）に対してデータの読み書きを行うＣＤ−Ｒドライブ６２が接続されている。
【００２３】
ここで、図２に、コントローラ３０の主要部の構成を示す。図２に示すように、コントローラ３０は、画像記憶部３１、設定画面表示部３２、色収差補正画面表示部３３、拡大率記憶部３４、拡大率書換部３５、拡大範囲記憶部３６、拡大範囲書換部３７、基準線記憶部３８、基準線書換部３９、基準色記憶部４０、基準色書換部４１、補正値記憶部４２、補正値書換部４３、補正部４４、画像表示制御部４５とを有している。
【００２４】
画像記憶部３１は、フィルムスキャナ２０、カードスロット６１、またはＣＤ−Ｒドライブ６２から供給された複数の画像データファイルを記憶する。
【００２５】
設定画面表示部３２は、図３に示すようなＧＵＩ形式のレンズ収差補正画面７０をディスプレイ１１に表示させる。レンズ収差補正画面７０は、画像記憶部３１に記憶されている画像データファイルに係る画像９０に対して周辺光量補正、色収差補正、歪み補正、台形補正の各種収差補正を施すための４種類の画面の呼び出し元画面である。
【００２６】
詳細には、レンズ収差補正画面７０には、図３に示すように、周辺光量補正ボタン７１ａ、色収差補正ボタン７１ｂ、歪み補正ボタン７１ｃ、台形補正ボタン７１ｄが表示される。オペレータは、ボタン７１ａ〜７１ｄのうちの１つにマウス１３のカーソルを合わせた状態でマウス１３の右または左ボタンをクリックすることによって、これから行う収差補正を選択することができる。ここで、例えば、色収差補正ボタン７１ｂが選択された場合には、後で詳述する色収差補正画面８０がディスプレイ１１に表示される。なお、本実施の形態においては、色収差補正についてのみ詳細に説明し、周辺光量補正、歪み補正、及び台形補正の説明は省略する。
【００２７】
また、各種収差補正を行う際に、補正の効き具合等を確認し易くするために、画像９０の中心領域９０ａを拡大して表示する。そこで、レンズ収差補正画面７０には、枠９１で囲まれた中心領域９０ａの範囲を操作することができる表示エリア設定部７２と、中心領域９０ａの拡大率を入力するための表示サイズ入力部７３とが表示される。マウス１３のカーソルが枠９１を指した状態で、オペレータがマウス１３の右又は左ボタンを押下しつつマウス１３をドラッグすると、マウス１３の動きに合わせて表示エリア設定部７２内に表示された枠９１の大きさが変わるようになっている。表示サイズ入力部７３をマウス１３のカーソルが指した状態で、オペレータが、マウス１３の右又は左ボタンをクリックすると、表示サイズ入力部７３は入力可能状態となる。このとき、オペレータがキーボード１２から数値を入力することによって、中心領域９０ａの拡大率を入力することができる。以降、中心領域９０ａの範囲とその拡大率とを総称して「表示条件」と称する。なお、後述するように、表示条件の操作は各種収差補正を施す画面でも行うことができる。
【００２８】
また、後で詳述するように、各種収差補正を行う際には、画像９０におけるレンズの光軸に対応する位置を中心座標とし、中心座標を基準として補正を行う。そこで、レンズ収差補正画面７０には、各種収差補正を行う際の画像９０の中心座標の位置を設定するための中心座標設定部７４が表示される。中心座標設定部７４では、画像９０上に描画された縦軸９４ａと横軸９４ｂとの交点が中心座標を示している。オペレータは、マウス１３のカーソルが縦軸９４ａ、横軸９４ｂ又はそれらの交点を指した状態で、マウス１３の右又は左ボタンを押下しつつマウス１３をドラッグすることによって、中心座標の位置を変更することができる。
【００２９】
さらに、レンズ収差補正画面７０の画像表示部７５には、画像９０の中心領域９０ａ内での拡大画像が表示される。画像表示部７５に表示される画像は、各種収差補正の補正値が反映された画像になっている。したがって、オペレータは、画像表示部７５に表示された画像によって、各種収差補正の結果を確認することができる。加えて、レンズ収差補正画面７０には、画像表示部７５に画像９０の中心座標を示す縦軸９４ａ及び横軸９４ｂを表示する状態と表示しない状態とを切り替える中心座標表示チェックボックス７６が表示される。
【００３０】
色収差補正画面表示部３３は、図４に示すようなＧＵＩ形式の色収差補正画面８０をディスプレイ１１に表示させる。図４に示すように、色収差補正画面８０には、表示エリア設定部８１と、表示サイズ入力部８２と、画像表示部８３と、基準線表示チェックボックス８４と、補正値入力領域８５と、ＯＫボタン８８と、キャンセルボタン８９とが表示される。
【００３１】
表示エリア設定部８１及び表示サイズ入力部８２は、レンズ収差補正画面７０の表示エリア設定部７２及び表示サイズ入力部７３と同様の機能を有している。したがって、オペレータは、色収差補正画面８０において、画像９０に対する色収差の補正を行う際に、表示条件の操作を行うことができる。
【００３２】
画像表示部８３には、画像９０が９分割された状態で表示される。画像表示部８３に表示される画像は、補正値入力領域８５において入力された補正値が反映されている。画像表示部８３に表示されている９つの画像のうち８つの画像に囲まれた中心の画像は、画像９０の中心領域９０ａの画像に対応しており、レンズ収差補正画面７０又は色収差補正画面８０で設定された表示条件に基づいて表示される。また、画像表示部８３に表示される中心領域９０ａに対応する画像の右横及び下方には、画像９０の周辺領域に対応する８つの画像を固定した状態で中心領域９０ａに対応する画像のみをスクロールさせるためのスクロールバー８３ａ、８３ｂが表示されている。
【００３３】
基準線表示チェックボックス８４は、画像表示部８３に表示されている中心領域９０ａに対応する画像に、レンズ収差補正画面７０で設定された画像９０の縦軸９４ａ及び横軸９４ｂが描画される状態と描画されない状態とを切り替えることができる。
【００３４】
補正値入力領域８５には、基準色選択ボタン８５ａと、基準軸選択ボタン８５ｂと、第１の補正値入力コントロール８６と、第２の補正値入力コントロール８７とが描画される。オペレータは、基準色選択ボタン８５ａを用いることによって、画像９０を構成するＲ（レッド）、Ｇ（グリーン）、Ｂ（ブルー）の３色のうち、色収差補正を行う際に基準となる色を選択することができる。詳細には、オペレータが、基準色選択ボタン８５ａの「Ｒ」、「Ｇ」、「Ｂ」のいずれか１つをマウス１３のカーソルが指した状態でマウス１３の右又は左ボタンをクリックすると基準色が選択される。また、オペレータが、基準軸選択ボタン８５ｂを用いることによって、色収差補正を行う際の基準となる軸を選択することができる。詳細には、オペレータが、基準軸選択ボタン８５ｂの「横軸補正」又は「縦軸補正」のいずれか一方をマウス１３のカーソルが指した状態でマウス１３の右ボタン又は左ボタンをクリックすると、基準軸が選択される。
【００３５】
第１及び第２の補正値入力コントロール８６、８７では、Ｒ、Ｇ、Ｂの３色のうち基準色選択ボタン８５ａによって選択された基準色以外の２色の基準色に対する縦方向及び横方向の位置ずれを補正する補正値、すなわち相関関係を有する２つの補正値をそれぞれ入力することができる。本実施の形態では、図４に示すように、基準色として「Ｒ」が選択されており、第１の補正値入力コントロール８６では「Ｇ」の補正値を、第２の補正値入力コントロール８７では「Ｂ」の補正値をそれぞれ入力するようになっている。なお、第１及び第２の補正値入力コントロール８６、８７は、いずれも同様の機能を有しているので、ここでは、第１の補正値入力コントロール８６についてのみ説明する。
【００３６】
第１の補正値入力コントロール８６には、後で詳述するように、オペレータの操作に伴って変形する環状（図４においては円形状）の線図８６ａと、線図８６ａの中心において直交する縦軸８６ｂ及び横軸８６ｃとが描画されている。そして、線図８６ａと縦軸８６ｂとの２つの交点にはそれぞれ縦軸補正ハンドル８６ｄが、線図８６ａと横軸８６ｃとの２つの交点にはそれぞれ横軸補正ハンドル８６ｅが表示されている。
【００３７】
ここで、図５を参照しつつ、第１の補正値入力コントロール８６における補正値の入力方法について説明する。まず、オペレータが、マウス１３のカーソルが縦軸補正ハンドル８６ｄを指した状態で、マウス１３の右ボタン又は左ボタンを押下しつつ、縦軸８６ｂに沿ってマウス１３をドラッグすると、マウス１３の移動量に応じて、画像９０の縦軸９４ａ方向に対応する補正値（以降、単に「縦補正値」と称する）が変化する。このとき、図５（ａ）に示すように、マウス１３の移動量に応じて線図８６ａの縦軸８６ｂに沿う長さが変化する。同様に、オペレータがマウス１３を用いて、横軸補正ハンドル８６ｅを操作した場合には、画像９０の横軸９４ｂ方向に対応する補正値（以降、単に「横補正値」と称する）が変化すると共に、図５（ｂ）に示すように、線図８６ａの横軸８６ｃに沿う長さが変化する。さらに、オペレータが、マウス１３のカーソルが４つのハンドル８６ｄ、８６ｅを除く線図８６ａ上を指した状態で、マウス１３の右ボタン又は左ボタンを押下しつつ、線図８６ａの径方向に沿ってマウス１３をドラッグすると、縦補正値及び横補正値が同時に変化する。このとき、線図８６ａは、図５（ｃ）に示すように円形を保った状態で拡大又は縮小する。
【００３８】
なお、基準軸選択ボタン８５ｂによって、「縦軸補正」が選択されている場合には、縦軸補正ハンドル８６ｄのみが操作可能となる。同様に、「横軸補正」が選択されている場合には、横軸補正ハンドル８６ｅのみが操作可能となる。
【００３９】
また、第１の補正値入力コントロール８６には、補正値表示フィールド８６ｆが表示される。補正値表示フィールド８６ｆには、基準軸選択ボタン８５ｂによって「縦軸補正」が選択されている場合には、縦補正値が表示される。また、「横軸補正」が選択されている場合には、横補正値が表示される。さらに、基準軸選択ボタン８５ｂによって基準軸が選択されていない場合には、画像９０の中心座標を中心とする円の径方向に沿う補正値が表示される。
【００４０】
さらに、第１の補正値入力コントロール８６には、補正値増加ボタン８６ｇ及び補正値減少ボタン８６ｈが表示される。オペレータが、マウス１３のカーソルが補正値増加ボタン８６ｇを指した状態で、マウス１３の右ボタン又は左ボタンをクリックすると、補正値が増加する。詳細には、基準軸選択ボタン８５ｂによって、「縦軸補正」が選択された状態で補正値増加ボタン８６ｇが操作された場合には、縦補正値が増加し、「横軸補正」が選択された状態で補正値増加ボタン８６ｇが操作された場合には、横補正値が増加する。また、基準軸が選択されていない状態で補正値増加ボタン８６ｇが操作された場合には、縦補正値及び横補正値が同時に増加する。同様に、補正値減少ボタン８６ｈを操作することによって、縦補正値及び/または横補正値を減少させることができる。なお、オペレータが補正値増加ボタン８６ｇ又は補正値減少ボタン８６ｈを操作することによって補正値を入力した場合でも、入力された補正値の方向及び大きさに応じて線図８６ａが変形する。
【００４１】
ＯＫボタン８８は、色収差補正画面８０で行われた補正を確定させるためのボタンである。詳細には、オペレータによって、マウス１３のカーソルがＯＫボタン８８を指した状態でマウス１３の右ボタン又は左ボタンがクリックされると、補正値入力領域８５において入力された補正値が確定されると共に、色収差補正画面８０がディスプレイ１１から消去される。また、キャンセルボタン８９は、色収差補正画面８０で行われた補正をキャンセルするためのボタンである。詳細には、オペレータによって、マウス１３のカーソルがキャンセルボタン８９を指した状態でマウス１３の右ボタン又は左ボタンがクリックされると、補正値入力領域８５において入力された補正値がキャンセルされると共に、色収差補正画面８０がディスプレイ１１から消去される。
【００４２】
図２に戻って、拡大率記憶部３４は、色収差補正画面８０の画像表示部８３に表示される画像９０の中心領域９０ａの拡大率を記憶する。拡大率書換部３５は、レンズ収差補正画面７０の表示サイズ入力部７３、または色収差補正画面８０の表示サイズ入力部８２において、オペレータによって中心領域９０ａの拡大率が入力された際に、拡大率記憶部３４に記憶されている中心領域９０ａの拡大率をオペレータが入力した数値に書き換える。
【００４３】
拡大範囲記憶部３６は、色収差補正画面８０の画像表示部８３に表示される画像９０の中心領域９０ａの範囲を記憶する。拡大範囲書換部３７は、レンズ収差補正画面７０の表示エリア設定部７２、または色収差補正画面８０の表示エリア設定部８１において、オペレータによって中心領域９０ａの範囲が操作された際に、拡大範囲記憶部３６に記憶されている中心領域９０ａの範囲をオペレータが設定した範囲に書き換える。
【００４４】
基準線記憶部３８は、画像９０のレンズ収差を補正する際の基準線となる縦軸９４ａ及び横軸９４ｂの位置を記憶する。基準線書換部３９は、レンズ収差補正画面７０の中心座標設定部７４において、オペレータによって縦軸９４ａ、横軸９４ｂ又はそれらの交点の位置が操作された際に、基準線記憶部３８に記憶されている縦軸９４ａ及び横軸９４ｂの位置をオペレータが設定した位置に書き換える。
【００４５】
基準色記憶部４０は、Ｒ、Ｇ、Ｂの３色のうち、画像９０の色収差を補正する際に基準となる色を記憶する。基準色記憶部４０には、デフォルトで「Ｒ」が基準色となるように記憶されている。基準色書換部４１は、色収差補正画面８０の基準色選択ボタン８５ａにおいて、オペレータによって基準色が選択された際に、基準色記憶部４０に記憶されている基準色をオペレータが選択した色に書き換える。
【００４６】
補正値記憶部４２は、画像９０の色収差補正を行うための補正値を記憶する。詳細には、Ｒ、Ｇ、Ｂの３色のうち基準色以外の２色についてそれぞれ、縦補正値と横補正値とが記憶されている。補正値記憶部４２には、初期状態では、いずれの補正値もゼロと記憶されている。補正値書換部４３は、色収差補正画面８０の補正値入力領域８５において、オペレータによって補正値が入力された際に、補正値記憶部４２に記憶されている補正値をオペレータが入力した数値に書き換える。なお、上で詳述したように、補正値入力領域８５において、オペレータが、縦補正値と横補正値とを分けて操作した場合には、補正値記憶部４２に記憶されている縦補正値及び横補正値は、個別に書き換えられる。一方、縦補正値と横補正値とを同時に操作した場合には、補正値記憶部４２に記憶されている縦補正値及び横補正値は、同時に書き換えられる。
【００４７】
補正部４４は、画像記憶部３１に記憶されている画像９０に対応する画像データファイルに対して、補正値記憶部４２に記憶されている補正値に基づいて色収差補正を施す。例えば、補正値記憶部４２に、画像９０のＧ（グリーン）成分の縦補正値が３０、横補正値がゼロと記憶されている場合には、補正部４４は、画像９０のＧ成分の画像が中心座標を中心に縦軸９４ｂ方向のみに変形するように、画像９０に対応する画像データファイルを補正する。また、補正値記憶部４２に、画像９０のＧ成分の縦補正値及び横補正値が共に３０と記憶されている場合には、画像９０のＧ成分の画像が縦横比を保ったまま中心座標を中心に変形するように、画像９０に対応する画像データファイルを補正する。
【００４８】
画像表示制御部４５は、補正部４４によって補正された画像データファイルに係る画像を、レンズ収差補正画面７０の画像表示部７５、及び色収差補正画面８０の画像表示部８３に表示する。
【００４９】
プリンタプロセッサ５０は、コントローラ３０から送信された補正済みの画像データファイルに基づいて、印画紙５１１に対して露光を行うプリンタ５１と、露光済みの印画紙５１１に対して現像、漂白、安定化などの処理が施されるプロセッサ５２と、プロセッサ５２から排出された印画紙５１１を乾燥させる仕上げ処理部５３とを有している。
【００５０】
プリンタ５１は、印画紙５１１を収納するペーパーマガジン５１２と、印画紙５１１をペーパーマガジン５１２から引き出しつつ搬送する複数の搬送ローラ対５１３と、印画紙５１１をプリントサイズにカットするカッター５１４と、搬送経路に沿って矢印Ａ方向に搬送される印画紙５１１に対してコントローラ３０で補正処理が施された画像データファイルに対応する潜像を形成する露光ヘッド５１５とを備えている。なお、露光ヘッド５１５は、例えばレーザ露光方式、ＰＬＺＴ方式、ＣＲＴ方式など適宜のものを採用することができる。そして、プリンタ５１において露光された印画紙５１１は、プロセッサ５２を経て仕上げ処理部５３へと搬送され、仕上がりの写真プリントとして排出される。
【００５１】
次に、図６に示す色収差補正の手順を示すフローチャートを参照しつつ、写真処理装置１における処理の手順について説明する。
【００５２】
まず、ディスプレイ１１にレンズ収差補正画面７０が表示される（ステップＳ１０１）。次に、表示エリア設定部７２、表示サイズ入力部７３において、オペレータによって、表示条件の操作が行われたかどうかが判断される（ステップＳ１０２）。表示条件の操作が行われなかったと判断された場合には（ステップＳ１０２：ＮＯ）、後述するステップＳ１０３を省略してステップＳ１０４に進む。一方、表示条件の操作が行われたと判断された場合には（ステップＳ１０２：ＹＥＳ）、拡大率書換部３５及び拡大範囲書換部３７によって、拡大率記憶部３４及び拡大範囲記憶部３６に記憶されている表示条件が、オペレータに設定された表示条件に書き換えられる（ステップＳ１０３）。
【００５３】
続いて、中心座標設定部７４において、オペレータによって、画像９０のレンズ収差補正を行う際の基準線である縦軸９４ａ、横軸９４ｂの位置が操作されたかどうかが判断される（ステップＳ１０４）。基準線の操作が行われなかったと判断された場合には（ステップＳ１０４：ＮＯ）、後述するステップＳ１０５を省略して、ステップＳ１０６に進む。一方、基準線の操作が行われたと判断された場合には（ステップＳ１０４：ＹＥＳ）、基準線書換部３９によって、基準線記憶部３８に記憶されている縦軸９４ａ及び横軸９４ｂの位置が、オペレータに設定された位置に書き換えられる（ステップＳ１０５）。
【００５４】
その後、オペレータによって、色収差補正ボタン７１ｂが操作されると、ディスプレイ１１に色収差補正画面８０が表示される（ステップＳ１０６）。ここで、表示エリア設定部８１、表示サイズ入力部８２において、オペレータによって、表示条件の操作が行われたかどうかが判断される（ステップＳ１０７）。表示条件の操作が行われなかったと判断された場合には（ステップＳ１０７：ＮＯ）、後述するステップＳ１０８を省略してステップＳ１０９に進む。一方、表示条件の操作が行われたと判断された場合には（ステップＳ１０７：ＹＥＳ）、拡大率書換部３５及び拡大範囲書換部３７によって、拡大率記憶部３４及び拡大範囲記憶部３６に記憶されている表示条件が、オペレータに設定された表示条件に書き換えられる（ステップＳ１０８）。
【００５５】
続いて、基準色選択ボタン８５ａにおいて、オペレータによって、色収差補正の基準色が選択されたかどうかが判断される（ステップＳ１０９）。基準色が選択されなかったと判断された場合には（ステップＳ１０９：ＮＯ）、後述するステップＳ１１０を省略してステップＳ１１１に進む。一方、基準色が選択されたと判断された場合には（ステップＳ１０９：ＹＥＳ）、基準色書換部４１によって、基準色記憶部４０に記憶されている基準色が、オペレータに設定された基準色に書き換えられる（ステップＳ１１０）。
【００５６】
さらに、補正値入力領域８５において、オペレータによって、補正値の入力が行われたかどうかが判断される（ステップＳ１１１）。補正値の入力が行われたと判断された場合には（ステップＳ１１１：ＹＥＳ）、その時点までに、基準軸選択ボタン８５ｂにおいて、オペレータによって、基準軸の設定が行われていたかどうか判断される（ステップＳ１１２）。
【００５７】
基準軸が設定されていたと判断された場合には（ステップＳ１１２：ＹＥＳ）、補正値書換部４３が、補正値記憶部４２に記憶されているオペレータによって設定された軸に沿う方向の補正値のみを、オペレータが入力した補正値に書き換える（ステップＳ１１３）。その後、ステップＳ１１１に戻り、再び補正値の入力が行われたかどうかが判断される。
【００５８】
一方、補正軸が設定されていなかったと判断された場合には（ステップＳ１１２：ＮＯ）、ステップＳ１１１で行われた補正値の入力が、線図８６ａ又は８７ａにおける各軸方向に対応する縦軸補正ハンドル８６ｄ、８７ｄ又は横軸補正ハンドル８６ｅ、８７ｅのいずれかを操作することによって入力されたのもかどうかが判断される（ステップＳ１１４）。補正値が各補正ハンドル８６ｄ、８７ｄ、８６ｅ、８７ｅのいずれかを操作することによって入力されたものであると判断された場合には（ステップＳ１１４：ＹＥＳ）、上述したステップＳ１１３に進み、オペレータによって操作された補正ハンドルに対応する軸に沿う方向の補正値のみが書き換えられる。一方、補正値が各補正ハンドル８６ｄ、８７ｄ、８６ｅ、８７ｅのいずれかを操作することによって入力されたものではないと判断された場合には（ステップＳ１１４：ＮＯ）、補正値書換部４３が、補正値記憶部４２に記憶されている縦補正値及び横補正値の両方を同時にオペレータが入力した補正値書き換える。（ステップＳ１１５）。その後、ステップＳ１１１に戻り、再び補正値の入力が行われたかどうかが判断される。
【００５９】
このとき、画像表示制御部４５が、ステップＳ１１３又はステップＳ１１５において書き換えられた補正値に基づいて色収差補正が行われた画像９０を、画像表示部８３に表示する。そして、オペレータは、画像表示部８３に表示された画像９０によって、補正の効き具合を確認する。このようにして、オペレータは画像表示部８３に表示された画像９０を確認しながら、縦補正値及び横補正値の調整を行う。
【００６０】
一方、補正値の入力が行われなかったと判断された場合には（ステップＳ１１１：ＮＯ）、オペレータによって、ＯＫボタン８８が操作され、色収差補正が完了したかどうかが判断される（ステップＳ１１６）。色収差補正が完了していないと判断された場合には（ステップＳ１１６：ＮＯ）、ステップＳ１１１に戻り、再び補正値が入力されたかどうかが判断される。一方、色収差補正が完了したと判断された場合には（ステップＳ１１６：ＹＥＳ）、補正値入力領域８５において入力された補正値が確定されると共に、色収差補正画面８０がディスプレイ１１から消去される。
【００６１】
以上のように、本実施の形態の写真処理装置１は、色収差補正画面表示部３３が、互いに相関関係を有する縦補正値及び横補正値の両方をそれぞれ入力することができる第１及び第２の補正値入力コントロール８６、８７を色収差補正画面８０に表示する。したがって、縦補正値と横補正値との調整を容易に行うことができる。
【００６２】
また、本実施の形態の写真処理装置１は、画像表示制御部４５が、色収差補正画面８０の画像表示部８３に、補正部４４によって補正された画像データファイルに係る画像９０を表示させる。したがって、オペレータは、リアルタイムに補正された画像９０を確認しながら縦補正値及び横補正値の入力を行うことができる。よって、縦補正値と横補正値との調整がより容易になる。
【００６３】
さらに、本実施の形態の写真処理装置１は、第１及び第２の補正値入力コントロール８６、８７において、縦補正値及び横補正値の入力を同時に行うことができる。したがって、縦補正値と横補正値との調整がさらに容易になる。
【００６４】
加えて、本実施の形態の写真処理装置１は、色収差補正画面表示部３３が、色収差補正画面８０に、初期状態においては円形状であり、オペレータによって補正値が入力された場合に、入力された補正値の方向及び大きさに応じて変形可能な線図８６ａ、８７ａを表示させる。したがって、オペレータは、色収差補正画面８０において入力した縦補正値及び横補正値の大きさを視覚的に確認することができる。その結果、縦補正値及び横補正値の調整が一層容易になる。
【００６５】
以上、本発明の好適な一実施の形態について説明したが、本発明は上述の実施の形態に限られるものではなく、特許請求の範囲に記載した限りにおいて、様々な設計変更を行うことが可能なものである。
【００６６】
例えば、上述の実施の形態では、画像表示制御部４５が、色収差補正画面８０の画像表示部８３に、補正部４４によって補正された画像データファイルに係る画像９０を表示させる場合について説明したが、画像表示部８３に表示される画像は、補正された画像でなくてもよい。また、色収差補正画面８０に画像９０が表示されなくてもよい。
【００６７】
さらに、上述の実施の形態では、第１及び第２の補正値入力コントロール８６、８７において、縦補正値及び横補正値の入力を同時に行うことができる場合について説明したが、縦補正値と横補正値との入力は同時に行うことができなくてもよい。
【００６８】
また、上述の実施の形態では、色収差補正画面表示部３３が、色収差補正画面８０に、初期状態においては円形状であり、オペレータによって補正値が入力された場合に、入力された補正値の方向及び大きさに応じて変形可能な線図８６ａ、８７ａを表示させる場合について説明したが、線図８６ａ、８７ａは表示されなくてもよい。
【００６９】
加えて、上述の実施の形態では、オペレータが、第１及び第２の補正値入力コントロール８６、８７を操作することによって、縦補正値と横補正値との調整を行い、画像９０の色収差を補正する場合について説明したがこれには限られない。補正値入力コントロールは、画像中において直交する２方向に関する補正値の調整を行うためのものであり、画像の周辺部分の光量不足を補正するための周辺光量補正や、画像の周辺部分の歪みを補正するための歪み補正等の色収差補正以外のレンズ収差補正を行ってもよい。また、補正値入力コントロールによって、レンズ収差補正以外の補正が行われてもよい。さらに、画像中において直交する２方向に関する補正値でなく、単に相関関係を有する２つのパラメータを調整するためのパラメータコントロールであってもよい。例えば、画像を拡大して出力する場合に、解像度の低下に起因する画質悪化を防ぐために、画像を構成する各画素を複数に分割する処理が行われる。このような処理を行う際に、オペレータがパラメータコントロールによって、画像の拡大率と画素の分割数とを調整するようにしてもよい。
【００７０】
また、上述の実施の形態では、ポインティングデバイスとしてマウス１３を用いる場合について説明しているが、マウス１３以外のものを用いてもよい。
【００７１】
さらに、上述の実施の形態では、写真処理装置１について説明したが、これには限られない。本発明は、画像形成装置一般に適用可能である。
【図面の簡単な説明】
【００７２】
【図１】本発明の実施の形態に係る写真処理装置の概略構成を示す図である。
【図２】図１に示すコントローラのブロック図である。
【図３】図２のディスプレイに表示するレンズ収差補正画面を示す図である。
【図４】図２のディスプレイに表示する色収差補正画面を示す図である。
【図５】図４に示す第１の補正値入力コントロールの操作方法を説明するための図である。
【図６】図１に示す写真処理装置における色収差補正の手順を示すフローチャートである。
【図７】従来の色収差補正画面を示す図である。
【符号の説明】
【００７３】
１  写真処理装置（画像形成装置）
１０  インターフェイス部
１１  ディスプレイ
３０  コントローラ
３１  画像記憶部（画像記憶手段）
３３  色収差補正画面表示部（補正画面表示手段）
４０  基準色記憶部（基準色記憶手段）
４１  基準色書換部（基準色書換手段）
４２  補正値記憶部（パラメータ記憶手段）
４３  補正値書換部（パラメータ書換手段）
４４  補正部（補正手段）
４５  画像表示制御部（画像表示制御手段）
５０  プリンタプロセッサ（画像形成部）
８０  色収差補正画面（補正画面）
８５ａ  基準色選択ボタン（基準色選択コントロール）
８６  第１の補正値入力コントロール（パラメータコントロール）
８７  第２の補正値入力コントロール（パラメータコントロール）
８６ａ、８７ａ  線図
【図１】
2006081058.tif 000003
【図２】
2006081058.tif 000004
【図３】
2006081058.tif 000005
【図４】
2006081058.tif 000006
【図５】
2006081058.tif 000007
【図６】
2006081058.tif 000008
【図７】
2006081058.tif 000009